(57)【特許請求の範囲】
【請求項１】
用件を録音し再生する録再部と、送受信部と、表示部と、制御部とを備え、前記送受信部を介して再生要求があると、前記制御部は再生要求先に、録音された用件を再生させ、該再生中に、前記表示部に用件一覧表を表示させると共に、前記再生中の用件を示す部分を特定表示させる事を特徴とする通信装置。
【請求項２】
請求項１記載の通信装置であり、用件再生中に、前記送受信部を介して、再生要求先から削除要求があると、前記制御部は前記表示部に表示された用件一覧表の画面表示を、削除要求された用件を削除した一覧画面表示へと切り換え表示する事を特徴とする通信装置。
【請求項３】
通信装置本体の使用者に対して通知を行う通知部を設け、前記削除要求があると、前記制御部は前記通知部に、遠隔操作により削除要求が行われたことを示す通知を行わせる事を特徴する請求項２記載の通信装置。
【請求項４】
入力部を設け、前記制御部は、前記通知部による通知後に、前記入力部から前記削除要求に応じて用件の削除動作を行うことを禁止するよう指示する入力があると、前記用件一覧表画面に表示されている用件の削除を禁止するよう制御する事を特徴とする請求項３記載の通信装置。
【発明の詳細な説明】
【０００１】
【発明の属する技術分野】
本発明は通信装置に関する。
【０００２】
【従来の技術】
従来、この種の装置は例えば特開平５−２２３９８号公報に示されている。この公報によると、用件を録音し再生する録再部と、送受信部と、表示部と、制御部とを備え、送受信部を介して再生要求があると、制御部は再生要求先に、録音された用件を再生させている（リモート再生）。
【０００３】
【発明が解決しようとする課題】
この様に従来の装置では、リモート使用者（再生要求先）が録音された用件（例えば複数個ある）を再生したり、又は削除している様子を、本体（上記装置）に内蔵されたスピーカによる室内メッセージにて、本体使用者に知らせている。しかし本体使用者は、音声による案内メッセージしか入手できないので、聞きもらしたりして、再生又は削除の様子を正確に把握できない第１の欠点がある。
【０００４】
更に上記装置では、リモート使用者が録音用件を削除しようとした時、本体使用者は前記録音用件を自分自身未だ再生していないため、保存したいと考えても自動的に削除される第２の欠点がある。故に本発明はこの様な従来の欠点を考慮して、リモート再生時に、録音用件を再生または削除する様子を本体（通信装置）使用者に正確に伝える事ができ、また、本体使用者が再生要求先の削除命令を禁止できる通信装置を提供する。
【０００５】
【課題を解決するための手段】
本発明は、用件を録音し再生する録再部と、送受信部と、表示部と、制御部とを備え、前記送受信部を介して再生要求があると、前記制御部は再生要求先に、録音された用件を再生させ、該再生中に、前記表示部に用件一覧表を表示させると共に、前記再生中の用件を示す部分を特定表示させる事を特徴とする。
【０００６】
又、請求項１記載の通信装置であり、用件再生中に、前記送受信部を介して、再生要求先から削除要求があると、前記制御部は前記表示部に表示された用件一覧表の画面表示を、削除要求された用件を削除した一覧画面表示へと切り換え表示する事を特徴とする。
【０００７】
又、通信装置本体の使用者に対して通知を行う通知部を設け、前記削除要求があると、前記制御部は前記通知部に、遠隔操作により削除要求が行われたことを示す通知を行わせる事を特徴する。
【０００８】
又、入力部を設け、前記制御部は、前記通知部による通知後に、前記入力部から前記削除要求に応じて用件の削除動作を行うことを禁止するよう指示する入力があると、前記用件一覧表画面に表示されている用件の削除を禁止するよう制御する事を特徴とする。
【００１０】
【発明の実施の形態】
以下に、本発明の実施の形態に係る通信装置を図１のブロック図に従い説明する。図１に於て、制御部１は例えばＣＰＵであり、バス２を介してリードオンリーメモリＲＯＭ３に接続されている。制御部１はＲＯＭ３に格納されている制御プログラムに基づいて、後述の部品を制御する。
【００１１】
ＲＡＭ４はランダムアクセスメモリ等の書き換え可能なメモリから成り、各種データが格納されバス２に接続されている。録再部５は用件（用件メッセージ）を録音し再生するものであり、例えば録音機能と、再生機能と、Ａ／Ｄ変換機能と、Ｄ／Ａ変換機能と、スイッチ機能を備えたＩＣ（集積回路素子）から成る。
【００１２】
録再部５はバス２に接続され、また録再部５は各々、通知部６（例えばスピーカ等）と、マイク７と、フラッシュメモリ（ＦＬＡＳＨ）８に接続されている。これらのＲＯＭ３と、ＲＡＭ４と、フラッシュメモリ８等により、記憶部９が構成されている。
【００１３】
送受信部１０は例えばターミナルアダプタ（ＴＡ）から成り、ディジタル信号をＩＳＤＮ回線１１へ送信し、又はＩＳＤＮ回線１１からディジタル信号を受信するものであり、バス２と、録再部５に接続されている。ハンドセット１２は送受信部１０に接続されている。
【００１４】
表示部１３は例えば、６４０×４８０ドットの液晶表示装置から成り、バス２に接続されている。入力部１４は例えば、タッチパネル１５とキー部１６等から構成されている。タッチパネル１５は、例えば透明タッチパネルと入力ペン等から成り、表示部１３に重畳され、バス２に接続されている。
【００１５】
キー部１６は例えば、電話番号等を入力するためのテンキー等の複数の入力キーから成り、バス２に接続されている。以上の部品により、通信装置１７が構成されている。
【００１６】
次に、この通信装置１７の動作を図１ないし図５に従い説明する。図２はリモート操作制御タスクのフローチャート、図３は図２に示された各処理の詳細なフローチャート、図４はリモート操作表示タスクのフローチャート、図５は前記通信装置１７に設けられた表示部１３に表示された用件一覧表の１例を示す図面である。また、リモート操作制御タスクは、ＲＯＭ３に記憶された、リモート操作時の制御プログラムに従うタスクである。リモート操作表示タスクは前記リモート操作制御タスクにより指示され、表示部１３の表示を制御するタスクである。
【００１７】
これらの図に於て、リモート使用者は、例えば外出先にて、ＩＳＤＮ回線１１に接続された第１端末（例えば電話機であるが図示せず）に於て、通信装置（例えば自宅の電話機）１７の電話番号をダイヤリングする。
【００１８】
通信装置１７が着信し、留守モードで有れば、通信装置１７は留守応答メッセージを再生し、リモート使用者が例えば第１端末の「＊」キーを入力すれば、通信装置１７は「パスワードを入力して下さい」というメッセージを再生する。
【００１９】
リモート使用者が正しいパスワードを入力すれば、制御部１はリモート再生モードである事を認識し第１端末から送信される信号を受信する（図２のＳ１）。
【００２０】
制御部１は上記受信信号の中に、コマンド又はステータス信号（共に後述）が有るか否かを判定する（Ｓ２）。仮にリモート使用者が、上記リモート再生モード認識（制御部１による）後に、第１端末の「＃」キーを入力していれば、制御部１はコマンドがあるとして、Ｓ２を肯定する。
【００２１】
そして制御部１は、再生中か否かを判定する（Ｓ３）。上述の説明では、未だ再生していないので、制御部１はＳ３を否定する。次に制御部１は、再生コマンドか否かを判定する（Ｓ４）。上述の説明では、リモート使用者は「＃」キーを入力しているので、制御部１はＳ４を肯定する。
【００２２】
次に、制御部１は用件番号としてｎ件目（上述の説明ではｎ＝１）を設定し（Ｓ５）、リモート操作表示タスクへ、再生開始メッセージを送出する（Ｓ６）。そして制御部１は、第２端末（図示せず）から入力された用件が録音され、録音データとしてフラッシュメモリ１８に記録され、録再部５により再生された用件を、送受信部８と、ＩＳＤＮ回線１１を介して、第１端末へ送信させる（これが再生開始であり、Ｓ７）。この様にして、制御部１は、現在の状態が再生中であると認識する（Ｓ８）。
【００２３】
次に制御部１はＳ１とＳ２を繰返し、Ｓ３を否定し、前用件再生コマンドか否かを判定する（Ｓ９）。上述の説明では、リモート使用者は再生コマンドを選択しているので、制御部１はＳ９を否定し、次用件再生コマンドか否かを判定する（Ｓ１０）。上述の説明では、再生コマンドが選択されているので、制御部１はＳ１０を否定する。
【００２４】
そして制御部１は、再生完了ステータスか否かを判定する（Ｓ１１）。現在の状態は、再生が未完了なので、制御部１はＳ１１を否定し、用件削除コマンドか否かを判定する（Ｓ１２）。上述の説明では、再生コマンドが選択されているので、制御部１はＳ１２を否定し、Ｓ１の直前に戻る。この様にして制御部１は、Ｓ１とＳ２とＳ３とＳ９とＳ１０とＳ１１とＳ１２の動作を繰り返す。
【００２５】
上記動作を繰り返している間に、制御部１は、ｎ件目（ｎ＝１）の再生を終了すると、制御部１は再生完了ステータスかの判定を肯定し（Ｓ１１）、再生完了処理を行なう（Ｓ１３）。
【００２６】
再生完了処理（Ｓ１３）では（図３参照）、制御部１はｎ件目の再生終了メッセージを、リモート操作表示タスクへ送出する（Ｓ１４）。そして、制御部１は次用件番号（ｎ＋１＝２）を設定し（Ｓ１５）、再生開始（ｎ＋１）メッセージを送出し（Ｓ１６）、（ｎ＋１＝２）件目の再生を開始させる（Ｓ１７）。
【００２７】
次に制御部１は、Ｓ１とＳ２とＳ３とＳ９とＳ１０とＳ１１の動作を行ない、（ｎ＋１）件目の再生が未完了なので、Ｓ１１を否定し、Ｓ１２、Ｓ１、Ｓ２、Ｓ３、Ｓ９、Ｓ１０、Ｓ１１、Ｓ１２の動作を繰り返す。この様にして、制御部１は１件目、２件目、３件目…の用件を順次再生させる。
【００２８】
上述のｎ件目の再生動作に於て、リモート使用者が例えば、前の用件、即ち（ｎ−１）件目の用件を再生したい場合は、キー部１６に於て、「７」を入力すると、制御部１は前用件再生コマンドか否かの判定を肯定し（Ｓ９）、前用件再生処理を行なう（Ｓ１８）。
【００２９】
前用件再生処理（Ｓ１８）では（図３参照）、制御部１はｎ件目の再生終了メッセージを送出し（Ｓ１９）、前用件番号（ｎ−１）を設定する（Ｓ２０）。そして制御部１は、（ｎ−１）件目の再生開始メッセージを送出し（Ｓ２１）、（ｎ−１）件目の再生を開始する。
【００３０】
更に、上述のｎ件目の再生動作に於て、リモート使用者が例えば、次の用件、即ち（ｎ＋１）件目の用件を再生したい場合は、キー部１６に於て、「９」を入力すると、制御部１は次用件再生コマンドか否かの判定を肯定し（Ｓ１０）、次用件再生処理を行なう（Ｓ２３）。
【００３１】
次用件再生処理（Ｓ２３）では（図３参照）、制御部１はｎ件目の再生終了メッセージを送出し（Ｓ２４）、次用件番号（ｎ＋１）を設定する（Ｓ２５）。そして制御部１は（ｎ＋１）件目の再生開始メッセージを送出し（Ｓ２６）、（ｎ＋１）件目の再生を開始する。以上にて、再生時と、再生完了と、前用件再生と、次用件再生する時の、各リモート操作制御タスクの説明を終わる。
【００３２】
次に、上述のｎ件目の再生又は前用件再生又は次用件再生の各動作に於て、リモート使用者が例えばｎ件目の用件を削除したい場合は、キー部１６に於て「＃」「０」「０」と入力する。その結果、制御部１は用件削除コマンドか否かの判定を肯定する（Ｓ１２）。
【００３３】
そして制御部１は、ユーザ禁止操作待ちを指示する即ち制御部１は、通知部６をして、本体（通信装置１７）使用者に対し、例えば「ｎ件目の用件を削除します。ＯＫですか？」という、削除要求の通知を行わせる。又は制御部１は表示部１３をして、上記内容を画面表示させても良い。
【００３４】
次に制御部１は待ち時間が経過したか否かを判定する（Ｓ２９）。仮に待ち時間（所定時間）が経過していないならば、制御部１はＳ２９を否定し、禁止操作か否かを判定する（Ｓ３０）。仮に、本体使用者が例えば、キー部１６に於て特定のキーを入力したり、又はタッチパネル１５上の「ＯＫ」という表示を入力ペンで押すと（特定入力すると）、制御部１はＳ３０を肯定し、Ｓ１の直前に戻る。この様に、本体使用者が入力部１４に特定入力すると、制御部１は用件削除処理（後述）をしない（禁止する）。
【００３５】
また、待ち時間を経過したら、制御部１はＳ２９を否定し、又は待ち時間中に禁止操作がないならば、制御部１はＳ３０を否定し、制御部１は用件削除処理を行なう（Ｓ３１）。
【００３６】
用件削除処理（Ｓ３１）では（図３参照）、制御部１はリモート操作表示タスクに対して、ｎ件目の再生終了メッセージを送出する（Ｓ３２）。そして制御部１はｎ件目の用件を削除する（Ｓ３３）。即ち制御部１は記憶部９（詳細にはフラッシュメモリ８）に記憶されたｎ件目の用件データを削除し、かつ表示部１３に表示された用件一覧表（後述）に於て、ｎ件目の用件を削除（消去）する。
【００３７】
次に制御部１は、ｎ件目の用件に係る削除完了メッセージを送出し（Ｓ３４）次用件番号（ｎ件目）を設定する。この時、ｎ件目の用件が削除されるので、ｎ＋１件目の用件がｎ件目に繰り上げられ、設定される。
【００３８】
そして制御部１は、上記繰り上げられたｎ件目の用件に係る再生開始メッセージを送出し（Ｓ３６）、ｎ件目の用件を再生開始させる（Ｓ３７）。次に制御部１は、Ｓ１の直前に戻り、上述の動作を繰り返す。なお、リモート使用者が繰り上げられたｎ件目の用件も削除したい場合は、上記ｎ件目の用件が再生されている時に、再びキー部１６に於て「＃」「０」「０」と入力すれば良い。その結果、Ｓ３３の動作と同様に、制御部１は上記繰り上げられたｎ件目の用件を削除する。以上にて、リモート操作制御タスクの動作説明を終わる。
【００３９】
次に、制御部１に於けるリモート操作表示タスクの動作を、主に図４と図５に従い説明する。図２と図３に従い説明した様に、リモート操作制御タスクからリモート操作表示タスクへ、メッセージが送出された場合、制御部１はメッセージ受信を行なう（図４のＳ１）。
【００４０】
制御部１は上記受信信号の中に、メッセージがあるか否かを判定する（Ｓ２）。もしもメッセージが含まれているならば、制御部１はＳ２を肯定し、現在のリモート操作モニター表示の設定を調べる（Ｓ３）。即ち、リモート使用者が上述のリモート再生操作をすれば、制御部は通知部６をして、本体使用者に対し、例えば「これから、リモート再生を行ないます」と、音声にて通知する。
【００４１】
本体使用者は上記通知を受けて、入力部１４に、予じめ定められたキー入力を行なう。上記入力により、表示部１３にモニター表示がされると、制御部１はＳ３を肯定する。この様に、本体使用者による手動操作は、見たくない用件一覧表（後述）は見なくても済む様に、本体使用者の意志を活かすためである。また逆に、リモート使用者が上述のリモート再生操作をすれば、制御部１が自動的にモニター表示をする事により、本体使用者は手動操作する手間が省け、利便性が向上する。
【００４２】
次に、制御部１は、上記メッセージに対応する用件が表示画面に入る様に、表示部１３に用件一覧表を表示させる（Ｓ４）。用件一覧表は図５に示す様に、記憶部９に記憶された用件データの用件番号と、用件を発信した第２端末の電話番号と、用件を発信した人の氏名と、発信（録音）時刻等の情報を示すものである。
【００４３】
そして制御部１は、Ｓ１で受信したメッセージが再生開始メッセージ（図２のＳ６と、図３のＳ１６と、Ｓ２１と、Ｓ２６と、Ｓ３６を参照）ならば、再生開始メッセージか否かの判定を肯定する（Ｓ５）。次に制御部１は、再生開始メッセージに対応する用件上にカーソルを設定する（Ｓ６）。即ち制御部１は、再生中の用件を示す部分を反転表示させたりして、特定表示させる（図５の２行目の欄を参照）。
【００４４】
次に制御部１は、受信メッセージが再生終了メッセージ（図３のＳ１４と、Ｓ１９と、Ｓ２４と、Ｓ３２を参照）ならば、再生終了メッセージか否かの判定を肯定する（Ｓ７）。次に制御部１は、再生終了メッセージに対応する用件上のカーソルを消去させる（Ｓ８）。即ち制御部１は、再生中の用件を示す部分（図５の２行目の反転表示されたもの）が再生を終了したならば、上記部分を元の表示（他の欄と同じ表示形態）に戻す。
【００４５】
また、受信メッセージが削除完了メッセージ（図３のＳ３４を参照）ならば、削除完了メッセージか否かの判定を肯定する（Ｓ９）。次に、制御部１は、削除完了メッセージに対応する用件を、用件一覧表から削除（消去）する（Ｓ１０）。
【００４６】
次に、この通信装置１７の特徴を以下にまとめる。第１に、送受信部１０を介して、リモート使用者から再生要求があると（図２のＳ１とＳ２とＳ４）、制御部１は再生要求先（リモート使用者）に、録音された用件を再生させる（図２のＳ７、Ｓ８）。そして制御部１は再生中に於て、表示部１３に用件一覧表を表示させる（図４のＳ４と、図５を参照）。
【００４７】
第２に制御部１は、用件一覧表に於て、再生中の用件を示す部分を特定表示させる（図４のＳ５、Ｓ６）。
【００４８】
第３に、送受信部１０を介して、再生中に、再生要求先（リモート使用者）から削除要求があると（図２のＳ１、Ｓ２、Ｓ３、Ｓ１２）、制御部１は表示部１３に表示された用件一覧表（図５）に於て、削除要求された用件を削除する（図４のＳ１０）。
【００４９】
第４に、削除要求があると（図２のＳ１、Ｓ２、Ｓ３、Ｓ１２）、制御部１は通知部６をして、削除要求の通知を行わせる（図２のＳ２８）。
【００５０】
第５に、通知部６による通知（図２のＳ２８）後に、入力部１４に特定入力されると（図２のＳ３０）、制御部１は、用件一覧表に於て、用件削除をしない（禁止する）（図２のＳ３０が肯定された状態）。
【００５１】
【発明の効果】
請求項１の本発明では、送受信部を介して再生要求があると、制御部は再生要求先に、録音された用件を再生させ（リモート再生）、再生中に於て、表示部に用件一覧表を表示させる。この様に、リモート再生中に於て、表示部に用件一覧表を表示させるので、本体（通信装置）使用者は、リモート再生の様子を視覚にて正確に把握する事が出来る。その結果、本体使用者は、リモート使用者がどういう情報（用件）を再生しているかが、正確にかつリアルタイムに把握でき、利便性が向上する。
【００５２】
請求項２の本発明では、制御部は、用件一覧表に於て、再生中の用件を示す部分を特定表示させる。この様に特定表示させる事により、本体使用者は、どの用件が現在、リモート再生されているかを、視覚にて、更に正確に把握する事ができる。
【００５３】
請求項３の本発明では、再生中に、送受信部を介して、再生要求先から削除要求があると、制御部は表示部に表示された用件一覧表に於て、削除要求された用件を削除する。この様に、リモート再生中に於て、再生要求先からの削除要求に応じて、表示部に表示された用件一覧表から用件を削除するので、本体使用者はリモート再生に於ける削除の様子を視覚にて、正確に把握する事が出来る。
【００５４】
請求項４の本発明では、削除要求があると、制御部は通知部をして、削除要求の通知を行わせる。この様に、再生要求先からの削除要求があると、制御部は通知部をして、削除要求の通知を行わせるので、本体使用者は、削除要求された用件を削除しても良いか否かを判断する事が出来る。
【００５５】
請求項５の本発明では、通知部による通知後に、入力部に特定入力されると、制御部は用件一覧表に於ける削除を禁止する。この様に、リモート再生に於ける削除要求があり、通知部による通知後に、本体使用者は削除要求された用件は未だ自分が再生しないと判定すると、特定入力を行なう。その結果、削除は禁止され保存されるので、本体使用者は自分が再生したい用件と、削除しても良い用件を判別し、本体使用者の意志に従って、前記用件を保存又は削除できるので、利便性が格段に向上する。
【図面の簡単な説明】
【図１】本発明の実施の形態に係る通信装置１７のブロック図である。
【図２】前記通信装置１７に用いられる制御部１が行なうリモート操作制御タスクのフローチャートである。
【図３】図２に示された各処理の詳細なフローチャートである。
【図４】前記制御部１が行なうリモート操作表示タスクのフローチャートである。
【図５】前記通信装置１７に設けられた表示部１３に表示された用件一覧表の１例を示す図面である。
【符号の説明】
１  制御部
５  録再部
１０  送受信部
１３  表示部
【図１】
0003723370.tif 000002
【図２】
0003723370.tif 000003
【図３】
0003723370.tif 000004
【図４】
0003723370.tif 000005
【図５】
0003723370.tif 000006